(57)【要約】【課題】便座の上面の傷の範囲の拡大を抑制できる便蓋装置を提供することを目的とする。【解決手段】便器の上に設置された本体と、前記本体に回動自在に軸支された便座と、前記本体に回動自在に軸支され、前記便座の上面を覆う便蓋と、前記便蓋の下面に設けられ、前記便座及び便蓋の開閉状態に関わらず、前記便座の上面と前記便蓋との接触による衝撃を吸収するように前記便蓋の前後方向に延びる帯状の便蓋クッションと、を備え、前記便蓋クッションは、前記便蓋の左右方向の中心線に対して右側方側に設けられる第１の便蓋クッションと、前記便蓋の左右方向の中心線に対して左方側に設けられる第２の便蓋クッションと、を有することを特徴とする便蓋装置が提供される。【選択図】図１
2019130167.tif 000002
【特許請求の範囲】
【請求項１】
便器の上に設置された本体と、
前記本体に回動自在に軸支された便座と、
前記本体に回動自在に軸支され、前記便座の上面を覆う便蓋と、
前記便蓋の下面に設けられ、前記便座及び便蓋の開閉状態に関わらず、前記便座の上面と前記便蓋との接触による衝撃を吸収するように前記便蓋の前後方向に延びる帯状の便蓋クッションと、を備え、
前記便蓋クッションは、前記便蓋の左右方向の中心線に対して右側方側に設けられる第１の便蓋クッションと、前記便蓋の左右方向の中心線に対して左方側に設けられる第２の便蓋クッションと、を有することを特徴とする便蓋装置。
【請求項２】
前記第１の便蓋クッション及び前記第２の便蓋クッションは、前記便蓋の左右方向の中心線に対して線対称となるように設けられることを特徴とする請求項１記載の便蓋装置。
【請求項３】
前記第１の便蓋クッションは、前記第２の便蓋クッションと略平行であることを特徴とする請求項２記載の便蓋装置。
【請求項４】
前記便座は、第１の支持部に軸支され、
前記便蓋は、前記第１の支持部と異なる第２の支持部に軸支されることを特徴とする請求項３記載の便蓋装置。
【請求項５】
前記第１の便蓋クッション及び第２の便蓋クッションの前端部の厚みは、前記第１の便蓋クッション及び第２の便蓋クッションの後端部よりも厚いことを特徴とする請求項４記載の便蓋装置。
【発明の詳細な説明】
【技術分野】
【０００１】
本発明の態様は、一般的に、便蓋装置に関する。
【背景技術】
【０００２】
従来、便蓋との接触による便座の上面の傷を抑制するために、便蓋の下面に便蓋クッションを有する便蓋装置が知られている。（特許文献1）
この便蓋装置において、便蓋クッションは、便蓋の前後方向に延びる帯状に形成されており、便蓋の開閉状態に関わらず、便蓋クッションが便座の上面に接触するようになっている。そのため、便座と便蓋とが同時に回動した場合でも便座の上面の傷を抑制できる。
【先行技術文献】
【特許文献】
【０００３】
【特許文献１】特開２００７−２６７９１８号公報
【発明の概要】
【発明が解決しようとする課題】
【０００４】
このような便蓋装置において、便蓋クッションは、便蓋の左右方向に対する中心線上にしかない。そのため、便座が左右方向いずれかに傾いた状態で便蓋と共に回動すると、便座の上面が便蓋クッションに接触せず、便座の上面の傷の範囲が拡大する恐れがある。
【０００５】
本発明は、かかる課題の認識に基づいてなされたものであり、便座の上面の傷の範囲の拡大を抑制できる便蓋装置を提供することを目的とする。
【課題を解決するための手段】
【０００６】
第１の発明は、便器の上に設置された本体と、前記本体に回動自在に軸支された便座と、前記本体に回動自在に軸支され、前記便座の上面を覆う便蓋と、前記便蓋の下面に設けられ、前記便座及び便蓋の開閉状態に関わらず、前記便座の上面と前記便蓋との接触による衝撃を吸収するように前記便蓋の前後方向に延びる帯状の便蓋クッションと、を備え、前記便蓋クッションは、前記便蓋の左右方向の中心線に対して右側方側に設けられる第１の便蓋クッションと、前記便蓋の左右方向の中心線に対して左方側に設けられる第２の便蓋クッションと、を有することを特徴とする便蓋装置である。
【０００７】
この便蓋装置によれば、便座が左右方向いずれかに傾いた状態で便蓋と共に回動した場合であっても、便座の上面が第１の便蓋クッションまたは第２の便蓋クッションのいずれかに接触し、便座の上面の傷の範囲が拡大することを抑制できる。
また、便座の上面と便蓋とが接触する場合、より便座の上面への衝撃を吸収できる。
従って、便蓋の下面に１つの便蓋クッションが設けられた場合と比較して、便蓋と便座との接触による便座の上面の傷の範囲の拡大を抑制できる。
【０００８】
第２の発明は、第１の発明において、前記第１の便蓋クッション及び前記第２の便蓋クッションは、前記便蓋の左右方向の中心線に対して線対称となるように設けられることを特徴とする便蓋装置である。
【０００９】
この便蓋装置によれば、便座の上面が接触した際に第１の便蓋クッション及び第２の便蓋クッションにかかる荷重を均一にでき、便蓋が便蓋クッションに接触した後に左右方向に傾くことを抑制することができる。そのため、便蓋と便座との接触による便座の上面の傷の範囲の拡大をより抑制できる。
【００１０】
第３の発明は、第２の発明において、前記第１の便蓋クッションは、前記第２の便蓋クッションと略平行であることを特徴とする便蓋装置である。
【００１１】
この便蓋装置によれば、便蓋クッションに接触する便座の上面の左右方向の位置が常に同じ位置になる。そのため、便蓋クッションの接触による便座の上面の傷の数を最小限に抑えることができ、便座の上面の傷の範囲を最小限にすることができる。
【００１２】
第４の発明は、第３の発明において、前記便座は、第１の支持部に軸支され、前記便蓋は、前記第１の支持部と異なる第２の支持部に軸支されることを特徴とする便蓋装置である。
【００１３】
この便蓋装置によれば、便蓋の回動状態に合わせて第１の便蓋クッション及び第２の便蓋クッションに接触する便座の上面の位置を変えることができる。そのため、同一箇所に荷重がかかることを抑制でき、第１の便蓋クッション及び第２の便蓋クッションの劣化を抑制できる。
【００１４】
第５の発明は、第４の発明において、前記第１の便蓋クッション及び第２の便蓋クッションの前端部の厚みは、前記第１の便蓋クッション及び第２の便蓋クッションの後端部よりも厚いことを特徴とする便蓋装置である。
【００１５】
この便蓋装置によれば、便蓋が閉じた状態において、第１の便蓋クッション及び第２の便蓋クッションと便座の上面との接触範囲を小さくすることができる。また、便蓋の上面に荷重がかかった場合、便蓋の荷重により下方にたわんだ箇所が便座の上面に接触しにくくなる。そのため、便蓋が閉じた状態において、便蓋の上面に大きな荷重がかかった場合でも、便座の上面が傷つくことを抑制することができる。
【発明の効果】
【００１６】
本発明の態様によれば、便座の上面の傷の範囲の拡大を抑制できる便蓋装置が提供される。
【図面の簡単な説明】
【００１７】
【図１】実施形態に係る便蓋装置を例示する斜視図である。
【図２】図２（ａ）乃至図２（ｃ）は、実施形態に係る便蓋装置の便蓋を例示する斜視図及び平面図及び拡大図である。
【図３】図３（ａ）〜図３（ｄ）は、実施形態に係る便蓋装置のケーシングを例示する平面図である。
【図４】実施形態に係る便蓋装置の一部を例示する平面図である。
【図５】図５（ａ）及び図５（ｂ）は、実施形態に係る便蓋装置を例示する平面図及び断面図である。
【図６】実施形態に係る便蓋装置の一部を例示する断面図である。
【図７】実施形態に係る便蓋装置の一部を例示する断面図である。
【図８】実施形態に係る便蓋装置を例示する斜視図である。
【図９】実施形態に係る便蓋装置の一部を例示する側面図である。
【図１０】実施形態に係る便蓋装置の一部を例示する平面図である。
【図１１】図１１（ａ）及び図１１（ｂ）は、実施形態に係る便蓋装置の便蓋を例示する平面図である。
【発明を実施するための形態】
【００１８】
以下、本発明の実施の形態について図面を参照しつつ説明する。なお、各図面中、同様の構成要素には同一の符号を付して詳細な説明は適宜省略する。  
図１は、実施形態に係る便蓋装置を例示する斜視図である。  
図１に示すように、実施形態に係る便蓋装置１００は、便器（図示せず）に載置されるケーシング１０と、使用者が着座する便座３０と、便蓋５０と、を有する。便座３０及び便蓋５０のそれぞれは、ケーシング１０に対して回動可能に支持されている。言い換えれば、便座３０及び便蓋５０のそれぞれは、開閉自在に軸支されている。図１の状態は、便座３０が閉られた状態（下げられた状態）であり、便蓋５０が開いた状態（上げられた状態）である。便蓋５０は、閉じた状態では、ケーシング１０及び便座３０の上面を上方から覆う（図５を参照）。
【００１９】
ケーシング１０の内部には、便座３０に座った使用者の人体局部（「おしり」など）の洗浄を実現する身体洗浄機能部などが内蔵されている。例えば、ケーシング１０の内部には、洗浄ノズル７０や、洗浄ノズル７０の動作を制御する制御回路などが設けられる。洗浄ノズル７０は、使用者が便座３０に座っているときに、ケーシング１０の内部から前方へ進出した状態で、使用者の局部に向けて洗浄水を吐出する。また、ケーシング１０には、便座３０に座った使用者の「おしり」などに向けて温風を吹き付けて乾燥させる「温風乾燥機能」や「脱臭ユニット」や「室内暖房ユニット」などの各種の機構が適宜設けられていてもよい。
【００２０】
なお、本願明細書において、「上方」、「下方」、「前方」、「後方」、「左側方」及び「右側方」のそれぞれは、開いた便蓋５０に背を向けて便座３０に座った使用者から見た方向である。
【００２１】
図２（ａ）乃至図２（ｃ）は、実施形態に係る便蓋装置の便蓋を例示する斜視図及び平面図及び拡大図である。
図２（ｂ）は、閉じた状態の便蓋５０を左側方から見た様子を示す。
図２（ｃ）は、図２（ｃ）の拡大図である。
便蓋５０は、例えばユリア樹脂で形成されている。便蓋５０は、例えば左右対称であり、側方から見たときに屈曲した形状を有する。便蓋５０の本体は、屈曲した一枚板状の屈曲板部５１である。屈曲板部５１の外周には、縁部５７が設けられている。図２（ｂ）に示すように、便蓋５０（屈曲板部５１）は、上面５３と、上面５３とは反対側の下面５５と、を有する。便蓋５０が閉じた状態において、上面５３は上を向き、下面５５は下方を向く。すなわち、下面５５は、便蓋５０が閉じた状態において、ケーシング１０及び便座３０の上面と対向する面である。縁部５７は、屈曲板部５１の外周において、上面５３から下面５５へ向かう方向に突出した形状である。
【００２２】
図２（ｂ）に示すように、下面５５は、第１下面５５ａと、第２下面５５ｂと、を有する。便蓋５０が閉じた状態において、第１下面５５ａは便蓋５０の前方側に位置し、第２下面５５ｂは、第１下面５５ａの後方側に位置する。屈曲板部５１の屈曲形状に対応して、側方から見たときに、第２下面５５ｂが延びる方向は、第１下面５５ａが延びる方向と交差する。例えば、便蓋５０が閉じた状態において、第１下面５５ａは、略水平方向に延びる部分であり、第２下面５５ｂは、前方に向かう下り傾斜を有する部分である。
【００２３】
同様に、上面５３は、第１上面５３ａと、第２上面５３ｂと、を有する。便蓋５０が閉じた状態において、第１上面５３ａが前方側であり、その後方に第２上面５３ｂが接続されている。便蓋５０の上面５３は、便蓋５０の下面５５と平行である。より具体的には、第１上面５３ａは第１下面５５ａと平行であり、第２上面５３ｂは第２下面５５ｂと平行である。
【００２４】
便蓋５０は、左右方向において並ぶ一対のヒンジ部（第１のヒンジ部６１及び第２のヒンジ部６２）を有する。便蓋５０が閉じた状態において、一対のヒンジ部は、便蓋５０の後端に位置し、第２下面５５ｂに設けられている。一対のヒンジ部は、上面５３から下面５５へ向かう方向に突出した形状である。第１のヒンジ部６１は、便蓋５０の左端付近に位置し、第２のヒンジ部６２は、便蓋５０の右端付近に位置する。一対のヒンジ部は、便蓋５０の左右の端よりも内側であり、便蓋５０の左右の端から離れている。
【００２５】
第１のヒンジ部６１、第２のヒンジ部６２は、それぞれ、左右方向に延びる穴６１ｈ、穴６２ｈを有する。穴６１ｈ、６２ｈは、後述する支持部と係合する。これにより、便蓋５０は、第１のヒンジ部６１及び第２のヒンジ部６２において、回動可能に軸支される。
【００２６】
第１下面５５ａには、便座クッション（第１の便蓋クッション５８、第２の便蓋クッション５９）が設けられている。
第１の便蓋クッション５８及び第２の便蓋クッション５９は、例えば、熱可塑性エラストマーで形成される。
この第１の便蓋クッション５８及び第２の便蓋クッション５９は、便蓋５０と別体により形成される。
なお、本実施形態では、第１の便蓋クッション５８及び第２の便蓋クッション５９は、便蓋５０と別体で形成されているが、便蓋５０と一体で形成されるものであってもよい。
【００２７】
第１の便蓋クッション５８は、便蓋５０の前後方向に延びる帯状である。
第１の便蓋クッション５８と同様に、第２の便蓋クッション５９は、便蓋５０の前後方向に延びる帯状である。
第１の便蓋クッション５８及び第２の便蓋クッション５９の前後方向の長さは、略同一である。なお、第１の便蓋クッション５８及び第２の便蓋クッション５９の前後方向の長さは、略同一でなくてもよく、少なくとも便蓋５０が開いた状態で、便座３０の上面３５と接触する長さ以上に形成されればよい。
【００２８】
第１の便蓋クッション５８は、便蓋５０の左右方向の中心線Ｃに対して右側方側に設けられている。
第２の便蓋クッション５９は、便蓋５０の左右方向の中心線Ｃに対して左側方側に設けられている。
また、第１の便蓋クッション５８及び第２の便座クッション５９のそれぞれは、中心線Ｃに対して線対称となるように設けられる。
より具体的には、第１の便蓋クッション５８は、第２の便座クッション５９と略平行であるように設けられる。
第１の便蓋クッション５８及び第２の便蓋クッション５９は、便蓋５０の開閉状態に関わらず、便座３０の上面３５と接触でき、便座３０との接触による衝撃を吸収する。詳細については後述する。
【００２９】
このように第１の便蓋クッション５８及び第２の便座クッション５９が設けられることで、例えば、便座３０が左右方向いずれかに傾いた状態で便蓋５０と共に回動した場合であっても、便座３０の上面３５が第１の便蓋クッション５８または第２の便蓋クッション５９のいずれかに接触し、便座３０の上面３５の傷の範囲が拡大することを抑制できる。
また、便座３０の上面３５と便蓋５０とが接触する場合、より便座３０の上面３５への衝撃を吸収できる。
また、中心線Ｃに対して線対称となるように設けられるので、便座３０の上面３５が接触した際に第１の便蓋クッション５８及び第２の便蓋クッション５９にかかる荷重を均一にでき、便蓋５０が便蓋クッションに接触した後に左右方向に傾くことを抑制することができる。
【００３０】
第１の便蓋クッション５８の厚さ（高さ）は、便蓋５０の厚さよりも薄い。このため、図２（ｂ）のように、側方から見たときには、第１の便蓋クッション５８は視認されない。
同様に、第２の便座クッション５９の厚さ（高さ）は、便蓋５０の厚さよりも薄く、側方から見たときには、第２の便蓋クッション５９は視認されない。
【００３１】
第１の便蓋クッション５８の厚さは、第１の便蓋クッション５８の前方部５８ａと第１の便蓋クッション５８の後方部５８ｂで異なる。
より具体的には、図２（ｃ）に示すように、第１の便蓋クッションの前端部５８ａの厚さＴ１は、第１の便蓋クッションの後端部５８ｂの厚さＴ２よりも厚い。
【００３２】
第２の便蓋クッション５９の厚さは、第１の便蓋クッション５８と同様である。すなわち、便蓋クッション５９の前端部５９ａの厚さは、便蓋クッション５９の後端部５９ｂの厚さよりも厚い。
これにより、第１の便蓋クッション５８の前端部５８ａ及び便蓋クッション５９の前端部５９ａが便座３０の上面３５と接触する際は、第１の便蓋クッション５８及び便蓋クッション５９の他の箇所が接触しにくくなる。そのため、第１の便蓋クッション５８及び便蓋クッション５９と便座３０の上面３５との接触範囲を小さくすることができる。
【００３３】
図３（ａ）〜図３（ｄ）は、実施形態に係る便蓋装置のケーシングを例示する平面図である。  
図３（ａ）はケーシング１０を後方から見た様子を示し、図３（ｂ）はケーシング１０を上方から見た様子を示し、図３（ｃ）はケーシング１０を右側方から見た様子を示し、図３（ｄ）はケーシング１０を左側方から見た様子を示す。ケーシング１０は、例えばポリプロピレンなどの樹脂で形成されている。ケーシング１０は、左側面１１と、右側面１３と、上面１５と、便座配置面１６と、後面１７と、を有する。
【００３４】
上面１５は、上方を向き、後方を向かない面である。この例では、上面１５は、上方及び前方に向いた傾斜面である。便座配置面１６は、上面１５の前方に設けられ、閉じた状態の便座３０の後方部分が配置される面である。すなわち、便座３０が閉じた状態において、便座３０の後方部分は、便座配置面１６に沿って便座配置面１６の直上に位置する。上面１５と便座配置面１６との間には、段差が形成されており、便座配置面１６の位置が低くなっている。便座配置面１６は、上方及び前方に向いた傾斜面である。ケーシング１０の上面１５とは、閉じた状態の便座３０が配置されない範囲をいうものとする。すなわち、上面１５は、便座配置面１６、及び便座配置面１６との間の段差よりも上方に位置する範囲である。
【００３５】
上面１５と便座配置面１６との間において、ケーシング１０の右端及び左端には、第１の段差部１９ａ及び第２の段差部１９ｂが設けられている。第１の段差部１９ａは、上面１５の左端が後退した部分であり、図３（ｄ）に示すように、ケーシング１０の左側方に露出している。第２の段差部１９ｂは、上面１５の右端が後退した部分であり、図３（ｃ）に示すように、ケーシング１０の右側方に露出している。
【００３６】
便座３０の左後端３２（図１参照）は、第１の段差部１９ａに配置され、ケーシング１０に設けられた支持軸２３ａ（図３（ｄ）参照）に支持される。便座３０の右後端３１（図１参照）は、第２の段差部１９ｂに配置され、ケーシング１０に設けられた支持軸２３ｂ（図３（ｄ）参照）に支持される。これにより、便座３０は、回動可能に軸支される。
【００３７】
後面１７は、後方を向く面である。後面１７は、後方及び上方を向く傾斜面でもよい。この例では、後面１７は、後方及び上方を向く第１後面１７ａと、第１後面１７ａから下方へ延びる第２後面１７ｂと、を有する。
【００３８】
ケーシング１０には、左右方向において並ぶ一対の溝（第１の溝２１ａ及び第２の溝２１ｂ）が設けられている。第１の溝２１ａ及び第２の溝２１ｂは、上面１５及び第１後面１７ａが下方に窪んだ部分である。第１の溝２１ａ及び第２の溝２１ｂは、左側面１１と右側面１３との間に設けられており、左側面１１及び右側面１３から離れている。言い換えれば、第１の溝２１ａ及び第２の溝２１ｂは、ケーシング１０の左右端よりも内側に配置されている。すなわち、図３（ｃ）に示すように、第１の溝２１ａ及び第２の溝２１ｂは、ケーシング１０の右側方に露出せず、右側面１３に覆われているため右側方から視認されない。また、図３（ｄ）に示すように、第１の溝２１ａ及び第２の溝２１ｂは、ケーシング１０の左側方に露出せず、左側面１１に覆われているため左側方から視認されない。
【００３９】
便蓋５０の第１のヒンジ部６１は、第１の溝２１ａに配置される。便蓋５０の第２のヒンジ部６２は、第２の溝２１ｂに配置される。
【００４０】
図４は、実施形態に係る便蓋装置の一部を例示する平面図である。  
図４は、図１のように、便座３０が閉じ、便蓋５０が開いた状態で、ケーシング１０の上面１５を上方から見た様子を示す。
【００４１】
図４に示すように、便蓋装置１００は、左右方向に並ぶ一対の支持部（第１の支持部７１及び第２の支持部７２）を有する。第１の支持部７１及び第２の支持部７２は、便蓋５０をケーシング１０に対して回動可能に支持する。
【００４２】
第１の支持部７１の少なくとも一部は、ケーシング１０の第１の溝２１ａに配置される。第１のヒンジ部６１は、第１の溝２１ａにおいて、第１の支持部７１と連結されている。また、第２の支持部７２の少なくとも一部は、ケーシング１０の第２の溝２１ｂに配置されている。第２のヒンジ部６２は、第２の溝２１ｂにおいて、第２の支持部７２と連結されている。
【００４３】
この例では、第１の支持部７１及び第２の支持部７２のそれぞれは、左右方向に延びる軸であり、ケーシング１０内から突出している。第１の支持部７１は、図２（ａ）に関して説明した、第１のヒンジ部６１の穴６１ｈに挿入され、第１のヒンジ部６１と係合している。また、第２の支持部７２は、第２のヒンジ部６２の穴６２ｈに挿入され、第２のヒンジ部６２と係合している。これにより、第１の支持部７１及び第２の支持部７２の回転と共に、便蓋５０が回動（開閉）する。
【００４４】
また、第１の支持部７１には、ケーシング１０内に収納された緩衝ユニット８０が設けられている。緩衝ユニット８０は、第１の支持部７１と連結した軸や、軸の周りに充填された流体（油）などを内部に有し、ダンパとして機能する。流体の粘性力が、第１の支持部７１を介して、便蓋５０に伝達される。これにより、緩衝ユニット８０は、便蓋５０が閉まる際に粘性力により便蓋５０の閉方向とは逆方向の制動力を便蓋５０に作用させる。
【００４５】
第２の支持部７２には、ケーシング１０内に収納されたアシストユニット９０が設けられている。アシストユニット９０は、第２の支持部７２と連結した軸や、軸と係合した弾性体（例えばコイルバネ）などを内部に有する。弾性体の弾性力が、第２の支持部７２を介して、便蓋５０に伝達される。これにより、アシストユニット９０は、便蓋５０が閉まる際に、弾性力により便蓋５０に開方向の付勢力を作用させる。アシストユニット９０は、便蓋５０の開方向のみに便蓋５０を付勢するものである。なお、緩衝ユニット８０にも、便蓋５０の開方向に便蓋５０を付勢する弾性体を設けてもよい。
【００４６】
上述したとおり、第１の溝２１ａ及び第２の溝２１ｂは、ケーシング１０の左右端よりも内側に配置されている。このため、ケーシング１０の左側面１１及び右側面１３のそれぞれは、便座３０の後端よりも後方において段差を有さない。より具体的には、左側面１１は、閉じた状態の便座３０の左後端３２よりも後方において、段差を有さない。また、右側面１３は、閉じた状態の便座３０の右後端３１よりも後方において段差を有さない。
【００４７】
これにより、ケーシング１０の左側面１１及び右側面１３の衛生性を向上させることができる。例えば、ケーシングの左側面１１及び右側面１３に埃が溜まること抑制することができる。また、例えば、ケーシング１０の左側面１１及び右側面１３の拭き掃除が容易となる。また、第１、２のヒンジ部６１、６２において便蓋５０が支持されるため、ヒンジ部が１つの場合に比べて、左右方向におけるバランスを向上させることができる。例えば、使用者が便蓋５０の右端又は左端を掴んで便蓋を回動させた際に便蓋５０がねじれにくい。
【００４８】
なお、本願明細書において「段差を有さない」とは、厳密に段差がない場合だけでなく、例えば３ｍｍ、好ましくは１ｍｍより大きい段差がない状態を含むものとする。例えば、図３（ｃ）に示す右側面１３のように、ケーシング１０の側面は、複数の部材で形成されてもよい。このとき、複数の部材の面は、ケーシング１０の側面において、面一となるように設けられている。２つの面が「面一」であるとは、２つの面の互いに突き合わされた端部において、一方の面に対して垂直な方向における、２つの面の間の距離が０ｍｍ以上３ｍｍ以下であることをいうものとする。すなわち、「面一である」とは、２つの面の間に全く段差及び隙間が無いことだけでなく、僅かな段差及び隙間が存在する場合を含んでもよい。
【００４９】
また、例えば、便蓋５０に設けられた一対ヒンジ部のうち、一方のヒンジ部が固定された状態で、他方のヒンジ部に便蓋をねじる力が加えられた場合、ヒンジ部間の距離が長いと便蓋がねじれやすく、便蓋が破損する恐れがある。これに対して、実施形態においては、第１のヒンジ部６１及び第２のヒンジ部６２のそれぞれは、ケーシング１０の左側面１１（左端）と右側面１３（右端）との間において、ケーシング１０の左側面１１及び右側面１３から離れた位置に配置されている。これにより、第１のヒンジ部６１及び第２のヒンジ部６２が、ケーシング１０の左側面１１及び右側面１３に設けられた場合に比べて、ヒンジ部間の距離を短くすることができる。これにより、ヒンジ部間における便蓋５０のねじれによる破損を抑制することができる。
【００５０】
図５（ａ）及び図５（ｂ）は、実施形態に係る便蓋装置を例示する平面図及び断面図である。  
図５（ａ）は、便座３０及び便蓋５０が閉じた状態の便蓋装置１００を、左側方から見た様子を示す。図５（ｂ）は、図５（ａ）の断面図であり、便蓋装置１００の左右方向における中心を通り、左右方向に垂直な断面を示す。
【００５１】
便座３０は、例えばポリプロピレンなどの樹脂で形成されている。便座３０は、閉じた便蓋５０と対向する上面３５を有する。また、便座３０は、便蓋５０と同様に、側方から見たときに屈曲した形状を有する。すなわち、便座３０の上面３５は、前方側の上面３５ａと、後方側の上面３５ｂと、を有し、側方から見たときに上面３５ｂが延びる方向は、上面３５ａが延びる方向と交差する。
【００５２】
図５（ａ）に示すように、便蓋５０の下面５５は、便座３０の上面３５及びケーシング１０の上面１５を上方から覆う。より具体的には、便蓋５０の第１下面５５ａが、便座３０の上面３５ａを上方から覆い、便蓋５０の第２下面５５ｂが、便座３０の上面３５ｂ及びケーシング１０の上面１５を上方から覆う。
【００５３】
便蓋５０が閉じた状態において、便蓋５０の第１下面５５ａは、便座３０の上面３５ａと平行である。また、便蓋５０が閉じた状態において、便蓋５０の第２下面５５ｂは、便座３０よりも後方側においてケーシング１０の上面１５と平行である。
【００５４】
これにより、便蓋５０の下面５５を便座３０の上面３５に均一に近づけること、および、便蓋５０の下面５５をケーシング１０の上面１５に均一に近づけることができる。そのため、閉じられた便蓋５０がいずれの位置で撓んでも、便蓋５０の下面５５が、すぐに便座３０の上面３５又はケーシング１０の上面１５と当接し、便蓋５０が下方から支持される。つまり、便座３０の上面３５及びケーシング１０の上面１５の全体によって、閉じられた便蓋５０に掛かる荷重を支えやすく、撓みによる便蓋５０の破損を抑制することができる。
【００５５】
図５（ｂ）に示すように、便蓋５０が閉じた状態において、便蓋５０の第２下面５５ｂは、便座３０の上面３５ｂと平行である。例えば、便座３０の上面３５ｂに対して垂直な方向に沿った、便座３０の上面３５ｂと便蓋５０の第２下面５５ｂとの間の距離Ｌ３は、５ｍｍ以上１０ｍｍ以下である。距離Ｌ１、距離Ｌ２、距離Ｌ３は、互いに等しいことが望ましい。
【００５６】
また、便蓋５０の第１下面５５ａが、便座３０の上面３５ａに対して平行であり、便蓋５０の第２下面５５ｂが、ケーシング１０の上面１５に対して平行である場合、便蓋５０の上面５３と便蓋５０の下面５５とが非平行であると、便蓋５０の厚さや重量が増し、便蓋５０の開閉動作がしにくくなり使用者の使い勝手が悪くなったり、便蓋５０が成形しにくくなったりする恐れがある。これに対して、図２に関して説明したように、実施形態においては、便蓋５０の上面５３と便蓋５０の下面５５とは、平行である。これにより、便蓋５０を薄くすることができ、便蓋５０の開閉動作のしにくさを抑制し、使用者の使い勝手が悪くなることを抑制することができる。また、便蓋５０の成形性の低下を抑制することができる。
【００５７】
また、便蓋５０の下面５５が、便座３０の上面３５及びケーシング１０の上面１５のそれぞれと平行である場合、便座３０の上面３５とケーシング１０の上面１５との間に段差があると、便蓋５０の下面５５にも段差が形成されることとなる。この場合、便蓋５０の形状が複雑となり、製造が困難になる恐れがある。また、便蓋５０の上面５３にも段差が形成され、清掃性が低下する恐れもある。これに対して、実施形態においては、図５（ａ）及び図５（ｂ）に示すように、便座３０の上面３５（上面３５ｂ）は、ケーシング１０の上面１５と面一である。これにより、便座３０の上面３５とケーシング１０の上面１５との間の凹凸が小さいため、便蓋５０の形状が複雑になることや、段差によって清掃性が低下することを抑制できる。
【００５８】
また、便蓋５０は、便蓋５０が閉じた状態において、ケーシング１０の上面１５の全体を覆っている。言い換えれば、便蓋５０の下面５５は、ケーシング１０の上面１５の全体と向き合う。これにより、ケーシング１０の上に埃が溜まることを抑制できる。また、便座３０とケーシング１０との間に埃が溜まることも抑制できる。なお、図５（ｂ）に示すように、左右方向に垂直な断面において、ケーシング１０の上面１５と第１後面１７ａとの間に湾曲した曲面ｒ１が設けられている。上面１５は、曲面ｒ１を含まず、例えば直線状に延びる部分である。
【００５９】
また、図５（ｂ）に示すように、便座３０の内部には、便座ヒータ３７が設けられている。便座ヒータ３７は、例えば、便座３０の開口の周りに沿って設けられた環状の金属部材を有する。便座ヒータ３７の金属部材に通電が行われることで、便座ヒータ３７は便座３０の上面３５を温める。便座ヒータ３７としては、例えば、チュービングヒータや、シーズヒータ、ハロゲンヒータ、カーボンヒータなどを用いてもよい。金属部材は、例えば、アルミニウムや銅などで構成される。また、金属部材の形状は、シート状やワイヤ状、メッシュ状など、種々の形状を採用することができる。
【００６０】
便蓋５０を閉じた状態において、便座ヒータ３７による熱は、便座３０の上面３５と便蓋５０の下面５５との間の距離が長い部分から、外部へ逃げやすい。これに対して、便蓋５０の第１下面５５ａが、便座３０の上面３５ａと平行であることにより、便座３０の上面３５と便蓋５０の下面との間の距離が長い部分が生じることを抑制できる。これにより、便座３０の上面３５と便蓋５０の下面との間の距離が長い部分から、便座ヒータ３７による暖気が外部へ逃げることを抑制できる。
【００６１】
図６は、実施形態に係る便蓋装置の一部を例示する断面図である。  
図６は、図５（ａ）に示すＡ−Ａ断面における、ケーシング１０及び便蓋５０の左端付近を示す。  
ケーシング１０の上面１５と左側面１１との間に曲面ｒ２が設けられている。上面１５及び左側面１１のそれぞれは、曲面ｒ２を含まず、前後方向に垂直な断面において直線状に延びる部分である。
【００６２】
便蓋５０の左端部（縁部５７）は、ケーシング１０の左側面１１よりも外側（左側）へ延びている。また、縁部５７の下端５７ｓは、上面１５よりも下方まで延びている。縁部５７の下端５７ｓと上面１５との間の、上下方向における距離Ｌ９は、例えば１ｍｍ以上５ｍｍ程度以下である。
【００６３】
便蓋５０は、曲面ｒ２の一部を覆う。すなわち、縁部５７の一部は、左右方向において曲面ｒ２の一部と重なる。一方、便蓋５０は、ケーシング１０の左側面１１を覆わない。すなわち、縁部５７は、左右方向において、左側面１１と重ならない。縁部５７の下端５７ｓと左側面１１との間の、上下方向における距離Ｌ４は、例えば６ｍｍ以上１０ｍｍ以下程度である。
【００６４】
ケーシング１０及び便蓋５０の右端に関しても、上記と同様である。すなわち、ケーシング１０の上面１５及び右側面１３の間には、曲面ｒ３が設けられる（図３（ｂ）参照）。上面１５及び右側面１３のそれぞれは、曲面ｒ３を含まず、前後方向に垂直な断面において直線状に延びる部分である。便蓋５０の右端部は、ケーシング１０の右側面１３よりも外側（右側）へ延びている。便蓋５０が閉じた状態において、縁部５７の一部は、左右方向において曲面ｒ３の一部と重なる。一方、便蓋５０が閉じた状態において、縁部５７は、左右方向において右側面１３と重ならない。
【００６５】
このように、便蓋５０は、便蓋５０が閉じた状態において、ケーシング１０の左側面１１及び右側面１３を露出させる。これにより、便蓋５０を閉じた状態のままでケーシング１０の左側面１１及び右側面１３の掃除が行いやすい。また、便蓋５０は、便蓋５０が閉じた状態において、ケーシング１０の上面１５の右側端１５ｇ（図３（ｂ）参照）から左側端１５ｈまでを覆っているため、ケーシング１０の上面１５に埃が溜まることを抑制できる。
【００６６】
図７は、実施形態に係る便蓋装置の一部を例示する断面図である。  
図７は、図５（ａ）に示すＢ−Ｂ断面における、便座３０及び便蓋５０の左端付近を示す。  
便座３０の上面３５と左側面３３との間に曲面ｒ４が設けられている。上面３５及び左側面３３のそれぞれは、曲面ｒ４を含まず、前後方向に垂直な断面において直線状に延びる部分である。
【００６７】
便蓋５０の左端部（縁部５７）は、便座３０の左側面３３よりも外側（左側）へ延びている。また、縁部５７の下端５７ｓは、上面３５よりも下方まで延びている。縁部５７の下端５７ｓと上面１５との間の、上下方向における距離Ｌ５は、例えば１ｍｍ以上５ｍｍ程度以下である。
【００６８】
便蓋５０は、曲面ｒ４の一部を覆う。すなわち、縁部５７の一部は、左右方向において曲面ｒ４の一部と重なる。一方、便蓋５０は、便座３０の左側面３３を覆わない。すなわち、縁部５７は、左右方向において、左側面３３と重ならない。縁部５７の下端５７ｓと左側面３３との間の、上下方向における距離Ｌ６は、例えば６ｍｍ以上１０ｍｍ以下である。
【００６９】
便座３０及び便蓋５０の右端に関しても、上記と同様である。すなわち、便座３０の上面３５及び右側面３４の間には、曲面ｒ５が設けられる（図１参照）。上面３５及び右側面３４のそれぞれは、曲面ｒ５を含まず、前後方向に垂直な断面において直線状に延びる部分である。便蓋５０の右端部は、便座３０の右側面３４よりも外側（右側）へ延びている。便蓋５０が閉じた状態において、縁部５７の一部は、左右方向において曲面ｒ５の一部と重なる。一方、便蓋５０が閉じた状態において、縁部５７は、左右方向において右側面３４と重ならない。
【００７０】
このように、便蓋５０は、便蓋５０が閉じた状態において、便座３０の左側面３３及び右側面３４を露出させる。例えば、側方から見たときに、便蓋５０は、便座３０よりも薄い。また、便蓋５０は、便蓋５０が閉じた状態において、便座３０の上面３５の右側端３５ｇ（図１参照）から左側端３５ｈまでを覆う。
【００７１】
便座３０の横幅がケーシング１０よりも小さいと、便座３０が上方からケーシング１０を覆う範囲が狭くなる。そのため、例えば、便蓋５０が開いた状態において、ケーシング１０の便座配置面１６の左右端部が露出し、露出した部分に埃が溜まりやすくなることがある。これに対して、実施形態おいては、便蓋５０が閉じた状態において、便蓋５０は、便座３０の左側面３３及び右側面３４を覆わず、露出させている。これにより、便座３０の横幅を大きくすることができる。したがって、便座３０がケーシング１０を上方から覆う範囲を広くすることができ、ケーシング１０上に埃が溜まることを抑制することができる。また、便座３０とケーシング１０との間に埃が溜まることも抑制できる。
【００７２】
また、便蓋５０が閉じた状態において、便座３０の左側面３３及び右側面３４が露出していると、便座ヒータ３７による熱が、露出した左側面３３及び右側面３４から外部に逃げやすくなる恐れがある。これに対して、便蓋５０の第１下面５５ａが便座３０の上面３５ａと平行であることにより、便蓋５０の第１下面５５ａの全体を均一に便座３０に近づけることができる。これにより、便座ヒータ３７の熱が外部に逃げることを抑制することができる。また、便蓋５０の第２下面５５ｂが便座３０の上面３５ｂと平行であることにより、便蓋５０の第２下面５５ｂの全体を均一に便座３０に近づけることができ、さらに熱が逃げることを抑制することができる。
【００７３】
図８は、実施形態に係る便蓋装置の一部を例示する斜視図である。  
図８は、便蓋５０が閉じた状態において、第１のヒンジ部６１の周辺を後方から見た様子を示す。  
第１の溝２１ａの下面２５には、規制部２５ａと凹部２５ｂとが設けられている。規制部２５ａは、凹部２５ｂよりもケーシング１０の外側に位置する。言い換えれば、規制部２５ａは、左右方向において左側面１１と凹部２５ｂとの間に位置する。また、第１のヒンジ部６１は、便蓋５０が閉じた状態において、ケーシング１０の後方に露出した当接面６１ａを有する。
【００７４】
第１のヒンジ部６１は、規制部２５ａの上方に配置されており、凹部２５ｂ内には配置されない。また、凹部２５ｂは、ケーシング１０の後面１７側に露出しており、第１の溝２１ａ内と連通している。これにより、凹部２５ｂから第１の溝２１ａ内の清掃を行うことができ、清掃性を向上させることができる。
【００７５】
また、凹部２５ｂの底面は、後方に向かう下り傾斜を有する。これにより、第１の溝２１ａ内に侵入した水を、凹部２５ｂから外部へ排出することができる。
【００７６】
図９は、実施形態に係る便蓋装置の一部を例示する側面図である。  
図９は、便蓋５０が開いた状態において、第１のヒンジ部６１の周辺を左側方から見た様子を示す。  
便蓋５０が開方向に回動すると、第１のヒンジ部６１の当接面６１ａも回転する。回転した当接面６１ａは、第１の溝２１ａの規制部２５ａに当接する。このようにして、規制部２５ａは、便蓋５０の開方向の可動範囲を規制する。
【００７７】
また、第１のヒンジ部６１は、便蓋５０が開いた状態において、上方を向く上面６１ｂを有する。便蓋５０が開いた状態（当接面６１ａが規制部２５ａに当接している状態）において、上面６１ｂは、ケーシング１０の上面１５と面一である。これにより、第１のヒンジ部６１の上面６１ｂとケーシング１０の上面１５との間の凹凸が小さいため、清掃性を向上させることができる。例えば、ケーシング１０の上面１５の拭き掃除が容易となる。
【００７８】
図１０は、実施形態に係る便蓋装置の一部を例示する平面図である。  
図１０は、便蓋５０が開いた状態において、第１のヒンジ部６１の周辺を上方から見た様子を示す。  
便蓋５０が開いた状態において、距離Ｌ７は、第１のヒンジ部６１の前方端６１ｃと第１の溝２１ａの前方端２７ａとの間の距離である。また、便蓋５０が開いた状態において、距離Ｌ８は、第１のヒンジ部６１の側方端６１ｄ（左側端）と第１の溝２１ａの側方端２７ｂ（左側端）との間の距離である。図１０に示すように、距離Ｌ７は、距離Ｌ８よりも長い。
【００７９】
このように、第１のヒンジ部６１の前方端６１ｃと第１の溝２１ａの前方端２７ａとの間の隙間が比較的広い。これにより、便蓋５０が開いた状態で、第１のヒンジ部６１の前方端６１ｃと第１の溝２１ａの前方端２７ａとの間から、雑巾などを第１の溝２１ａ内に入れることができる。そのため、第１の溝２１ａ内の清掃が容易となる。
【００８０】
また、第１のヒンジ部６１の側方端６１ｄと第１の溝２１ａの側方端２７ｂとの間の隙間から雑巾等を第１の溝２１ａ内に入れる場合、第１の支持部７１（軸）の先端側に力が加わり、第１の支持部７１が破損することがある。これに対して、第１のヒンジ部６１の前方端６１ｃと第１の溝２１ａの前方端２７ａとの間の隙間から雑巾等を第１の溝２１ａ内に入れることで、第１の支持部７１が破損することを抑制することができる。
【００８１】
図８〜図１０に関する説明は、第２の溝２１ｂ及び第２のヒンジ部６２の形状にも適用できる。例えば、第１の溝２１ａ及び第２の溝２１ｂに関して、ケーシング１０は左右対称である。また、例えば、第１のヒンジ部６１及び第２のヒンジ部６２に関して、便蓋５０は左右対称である。すなわち、第２のヒンジ部６２は、当接面６２ａ、上面６２ｂ、前方端６２ｃ、側方端６２ｄ（右側端）を有する（図２（ａ）参照）。これらは、それぞれ、第１のヒンジ部６１の当接面６１ａ、上面６１ｂ、前方端６１ｃ、側方端６１ｄと同様である。第２の溝２１ｂは、規制部２６ａ、凹部２６ｂ、前方端２８ａ、側方端２８ｂ（右側端）を有する（図３（ｂ）参照）。これらは、それぞれ、第１の溝２１ａの規制部２５ａ、凹部２５ｂ、前方端２７ａ、側方端２７ｂと同様である。
【００８２】
図３（ｂ）に示すように、左右の溝において、規制部２５ａ、２６ａは、凹部２５ｂ、２６ｂよりも外側に設けられている。言い換えれば、規制部２５ａと規制部２６ａとの間に、凹部２５ｂ、２６ｂが設けられている。便蓋５０が開いた状態において、外側に設けられた規制部２５ａ、２６ａによって便蓋５０を支持することで、便蓋５０の左右のバランスを向上させることができる。例えば、便蓋５０の左端及び右端の一方の位置が、他方の位置よりも前方又は後方にずれにくい。
【００８３】
図１１（ａ）及び図１１（ｂ）は、実施形態に係る便蓋装置の便蓋を例示する平面図である。
図１１（ａ）は、便座が閉じた状態を上方から見た様子を示す。
また、図１１（ｂ）は、便座が開いた状態を後方から見た状態を示す。
【００８４】
便座３０は、第１の支持部７１に軸支され、便蓋５０は、第１の支持部７１と異なる第２の支持部７２に軸支される（図４参照）。
そのため、図１１（ａ）に示すように、便蓋５０が閉じた状態において、第１の便蓋クッションの前端部５８ａは、便座３０の前方側の上面３５ａと、接触する。
同様に、便蓋５０が閉じた状態において、第２の便蓋クッション５９の前端部５９ａが便座３０の前方側の上面３５ａと、接触する。
この際、第１の便蓋クッション５８の前端部５８ａ及び便蓋クッション５９の前端部５９ａの厚みが他の箇所よりも厚いため、第１の便蓋クッション５８及び便蓋クッション５９の他の箇所が便座３０の上面３５aに接触しにくい。そのため、第１の便蓋クッション５８及び便蓋クッション５９と便座３０の上面３５との接触範囲を小さくすることができる。また、便蓋５０の上面５３に荷重がかかった場合、便蓋５０のたわんだ箇所が便座３０の上面３５が接触しにくい。
また、図１１（ｂ）に示すように、便蓋５０が開いた状態において、第１の便蓋クッションの後端部５８ｂが便座３０の前方側の上面３５ａと、接触する。
同様に、便蓋５０が閉じた状態において、第２の便蓋クッション５９の後端部５９ｂが便座３０の前方側の上面３５ａと、接触する。
【００８５】
このように、第１の便蓋クッション５８及び第２の便座クッション５９は、便蓋５０の開閉状態に合わせて便座３０の前方側の上面３５ａと、接触する箇所が便蓋５０の前後方向（上下方向）において後方側（下方側）にずれるようになっている。
すなわち、便座３０の前方側の上面３５ａは、第１の便蓋クッション５８及び第２の便座クッション５９の常に同じ位置に接触しない。
一方で、第１の便蓋クッション５８及び第２の便座クッション５９は、中心線Ｃに対して線対称であって、略平行に形成されているため、第１の便蓋クッション５８及び第２の便座クッション５９に接触する便座３０の前方側の上面３５ａの左右方向の位置は常に同じになる。
【００８６】
つぎに、上述した本発明の実施形態による便蓋装置１００における作用について説明する。
まず、本発明の実施形態による便蓋装置１００によれば、便器の上に設置されたケーシング１０（本体）と、ケーシング１０に回動自在に軸支された便座３０と、ケーシング１０に回動自在に軸支され、便座３０の上面３５を覆う便蓋５０と、便蓋５０の下面５５に設けられ、便座３０及び便蓋５０の開閉状態に関わらず、便座３０の上面３５と便蓋５０との接触による衝撃を吸収するように便蓋５０の前後方向に延びる帯状の便座クッション（第１の便蓋クッション５８、第２の便座クッション５９）とを備え、便座クッションは、便蓋５０の左右方向の中心線Ｃに対して左側方側に設けられる第１の便蓋クッション５８と、便蓋５０の左右方向の中心線Ｃに対して右方側に設けられる第２の便蓋クッション５９と、を有する。
この便蓋装置１００によれば、便座３０が左右方向いずれかに傾いた状態で便蓋５０と共に回動した場合であっても、便座３０の上面３５が第１の便蓋クッション５８または第２の便蓋クッション５９のいずれかに接触し、便座３０の上面３５の傷の範囲が拡大することを抑制できる。
また、便座３０の上面３５と便蓋５０とが接触する場合、より便座３０の上面３５への衝撃を吸収できる。
従って、便蓋５０の下面５５に１つの便蓋クッションが設けられた場合と比較して、便蓋５０と便座３０との接触による便座３０の上面３５の傷の範囲の拡大を抑制できる。
【００８７】
また、本発明の実施形態による便蓋装置１００によれば、第１の便蓋クッション５８及び第２の便蓋クッション５９は、便蓋５０の左右方向の中心線Ｃに対して線対称となるように設けられる。
この便蓋装置１００によれば、便座３０の上面３５が接触した際に第１の便蓋クッション５８及び第２の便蓋クッション５９にかかる荷重を均一にでき、便蓋５０が第１の便蓋クッション５８及び第２の便蓋クッション５９に接触した後に左右方向に傾くことを抑制することができる。そのため、便蓋５０と便座３０との接触による便座３０の上面３５の傷の範囲の拡大をより抑制できる。
【００８８】
また、本発明の実施形態による便蓋装置１００によれば、第１の便蓋クッション５８は、第２の便蓋クッション５９と略平行である。
この便蓋装置１００によれば、第１の便蓋クッション５８及び第２の便蓋クッション５９に接触する便座３０の上面３５の左右方向の位置が常に同じ位置になる。そのため、第１の便蓋クッション５８及び第２の便蓋クッション５９の接触による便座３０の上面３５の傷の数を最小限に抑えることができ、便座３０の上面３５の傷の範囲を最小限にすることができる。
【００８９】
また、本発明の実施形態による便蓋装置１００によれば、便座３０は、第１の支持部７１に軸支され、便蓋５０は、第１の支持部７１と異なる第２の支持部７２に軸支される。
この便蓋装置１００によれば、便蓋５０の回動状態に合わせて第１の便蓋クッション５８及び第２の便蓋クッション５９に接触する便座３０の上面３５の位置を変えることができる。そのため、同一箇所に荷重がかかることを抑制でき、第１の便蓋クッション５８及び第２の便蓋クッション５９の劣化を抑制できる。
【００９０】
また、本発明の実施形態による便蓋装置１００によれば、第１の便蓋クッション５８及び第２の便蓋クッション５９の前端部５８ａ、５９ａの厚みは、第１の便蓋クッション５８及び第２の便蓋クッション５９の後端部５８ｂ、５９ｂよりも厚い。
この便蓋装置１００によれば、便蓋５０が閉じた状態において、第１の便蓋クッション５８及び第２の便蓋クッション５９と便座３０の上面３５との接触範囲を小さくすることができる。また、便蓋５０の上面５３に荷重がかかった場合、便蓋５０の荷重により下方にたわんだ箇所が便３０座の上面３５に接触しにくくなる。そのため、便蓋５０が閉じた状態において、便蓋５０の上面５５に大きな荷重がかかった場合でも、便座３０の上面３５が傷つくことを抑制することができる。
【００９１】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、便蓋装置が備える各要素の形状、寸法、材質、配置、設置形態などは、例示したものに限定されるわけではなく適宜変更することができる。
また、前述した各実施の形態が備える各要素は、技術的に可能な限りにおいて組み合わせることができ、これらを組み合わせたものも本発明の特徴を含む限り本発明の範囲に包含される。
【符号の説明】
【００９２】
１０ ケーシング、  １１ 左側面、  １３ 右側面、  １５ 上面、  １５ｇ 右側端、  １５ｈ 左側端、  １６ 便座配置面、  １７ 後面、  １７ａ 第１後面、  １７ｂ 第２後面、  １９ａ 第１の段差部、  １９ｂ 第２の段差部、  ２１ａ 第１の溝、  ２１ｂ 第２の溝、  ２５ 下面、  ２５ａ 規制部、  ２５ｂ 凹部、  ２６ａ 規制部、  ２６ｂ 凹部、  ２７ａ 前方端、  ２７ｂ 側方端、  ２８ａ 前方端、  ２８ｂ 側方端、  ３０ 便座、  ３１ 右後端、  ３２ 左後端、  ３３ 左側面、  ３４ 右側面、  ３５ 上面、  ３５ａ 上面、  ３５ｂ 上面、  ３５ｇ 右側端、  ３５ｈ 左側端、  ３７ 便座ヒータ、  ５０ 便蓋、  ５１ 屈曲板部、  ５３ 上面、  ５３ａ 第１上面、  ５３ｂ 第２上面、  ５５ 下面、  ５５ａ 第１下面、  ５５ｂ 第２下面、  ５７ 縁部、  ５７ｓ 下端、  ５８ 第１の便蓋クッション、  ５８ａ 前端部、  ５８ｂ 後端部、  ５９ 第２の便蓋クッション、  ５９ａ 前端部、  ５９ｂ 後端部、  ６１ 第１のヒンジ部、  ６１ａ 当接面、  ６１ｂ 上面、  ６１ｃ 前方端、  ６１ｄ 側方端、  ６１ｈ 穴、  ６２ 第２のヒンジ部、  ６２ａ 当接面、  ６２ｂ 上面、  ６２ｃ 前方端、  ６２ｄ 側方端、  ６２ｈ 穴、  ７０ 洗浄ノズル、  ７１ 第１の支持部、  ７２ 第２の支持部、  ８０ 緩衝ユニット、  ９０ アシストユニット、  １００ 便蓋装置
【図１】
2019130167.tif 000003
【図２】
2019130167.tif 000004
【図３】
2019130167.tif 000005
【図４】
2019130167.tif 000006
【図５】
2019130167.tif 000007
【図６】
2019130167.tif 000008
【図７】
2019130167.tif 000009
【図８】
2019130167.tif 000010
【図９】
2019130167.tif 000011
【図１０】
2019130167.tif 000012
【図１１】
2019130167.tif 000013